(57)【要約】【課題】イメージサークルの小さい交換レンズを撮像面サイズの大きなカメラボディに装着した際に、適切なカメラ制御が可能なカメラシステムを提供すること。【解決手段】撮像光学系と該撮像光学系のイメージサークルに関する情報を備えた交換レンズと、撮像素子と測光手段と測光制御手段を有し前記交換レンズを着脱可能なカメラボディとを含むレンズ交換可能なカメラシステムにおいて、前記測光制御手段は前記撮像光学系のイメージサークルに関する情報に基づき前記測光手段の測光領域を変更、若しくは露出決定時の各測光領域の重み付けを変更することを特徴とする。これにより、イメージサークルの大きさ及び撮像面サイズの大きさにより測光に使用する領域を変更、若しくは露出決定時の各領域の重み付けを変更することで、適正露出を得ることが可能となる。【選択図】図１
2006133476.tif 000002
【特許請求の範囲】
【請求項１】
撮像光学系と該撮像光学系のイメージサークルに関する情報を備えた交換レンズと、撮像素子と測光手段と測光制御手段を有し前記交換レンズを着脱可能なカメラボディとを含むレンズ交換可能なカメラシステムであって、
前記測光制御手段は前記撮像光学系のイメージサークルに関する情報に基づき前記測光手段の測光領域を変更、若しくは露出決定時の各測光領域の重み付けを変更することを特徴とするカメラシステム。
【請求項２】
撮像光学系と該撮像光学系のイメージサークルに関する情報を備えた交換レンズと、撮像素子と焦点検出手段と該焦点検出手段の焦点検出領域を変更する焦点検出領域変更手段を有し、前記交換レンズを着脱可能なカメラボディとを含むレンズ交換可能なカメラシステムであって、
前記焦点検出領域変更手段は前記撮像光学系のイメージサークルに関する情報に基づき焦点検出に使用する焦点検出領域を変更することを特徴とするカメラシステム。
【請求項３】
撮像光学系と該撮像光学系のイメージサークルに関する情報を備えた交換レンズと、撮像素子と視野切替手段を有し、前記交換レンズを着脱可能なカメラボディとを含むレンズ交換可能なカメラシステムであって、
前記視野切替手段は、前記撮像光学系のイメージサークルに関する情報に基づきファインダーの視野を変更することを特徴とするカメラシステム。
【請求項４】
前記撮像光学系のイメージサークルに関する情報に基づきストロボの照射角を変更することを特徴とする請求項１〜３の何れかに記載のカメラシステム。
【発明の詳細な説明】
【技術分野】
【０００１】
本発明は、撮像面サイズの異なるカメラボディに着脱可能な交換レンズ及び該交換レンズを着脱可能な撮像面サイズの異なる複数のカメラボディから構成されるカメラシステムに関するものである。
【背景技術】
【０００２】
従来、レンズ交換可能なカメラシステムにおいては、撮像面のサイズは主に１３５サイズ及びＡＰＳサイズであり、該カメラシステムに使用される交換レンズは１３５及びＡＰＳサイズのカメラ両方に使用可能なレンズ若しくはＡＰＳサイズのカメラ専用のレンズのどちらかであった（例えば、特許文献１参照）。そのため、レンズのイメージサークルは撮像面の大きさを十分カバーするものであり、カメラ側の制御としては１つの制御方法で十分であった。
【０００３】
一方、ＣＣＤやＣＭＯＳ等の撮像素子を用いたレンズ交換可能なカメラシステムにおいては、撮像面サイズが１３５、ＡＰＳ−Ｈ、ＡＰＳ−Ｃ、４／３インチ等、様々なものが製品化若しくは提案されており、それぞれの撮像面サイズに適合したイメージサイズのレンズも提案されている。又、デジタルカメラシステムにおいては、画像のトリミング等が容易であること等から、イメージサークルの小さなレンズを撮像面サイズの大きなカメラボディに装着し、撮影を行うことも考えられる。
【０００４】
【特許文献１】特開平９−１６６８１８号公報
【発明の開示】
【発明が解決しようとする課題】
【０００５】
しかしながら、イメージサークルの小さなレンズを撮像面サイズの大きなカメラボディに装着した場合には、
（１）測光範囲のイメージサークルに対する比が、撮像面サイズに適合したレンズを使用した場合に比べ大きくなるため、同じカメラボディを使用した場合でもレンズによって露出に差が出る、若しくは、適正な露出が得られないといったことが発生する。
（２）カメラボディ側で設定されている焦点検出領域がイメージサークルの外側になってしまい焦点検出が不能になってしまったり、若しくは十分な精度が得られないといったことが発生する。
（３）ファインダーを覗いた際に、撮影範囲外まで視認可能となり、撮影される範囲の確認ができない。
（４）ストロボ発光時の照射角が撮影画角に比して必要以上に大きくなり、エネルギーの損失が大きい。
という問題がある。
【０００６】
本発明は上記問題に鑑みてなされたもので、その目的とする処は、イメージサークルの小さい交換レンズを撮像面サイズの大きなカメラボディに装着した際に、適切なカメラ制御が可能なカメラシステムを提供することにある。
【課題を解決するための手段】
【０００７】
上記目的を達成するため、本発明は、撮像光学系と該撮像光学系のイメージサークルに関する情報を備えた交換レンズと、撮像素子と測光手段と測光制御変更手段を有し前記交換レンズを着脱可能なカメラボディとから成るレンズ交換可能なカメラシステムにおいて、前記測光制御手段は前記撮像光学系のイメージサークルに関する情報に基づき前記測光手段の測光領域を変更、若しくは、露出決定時の各領域の重み付けを変更することを特徴とする。
【０００８】
これにより、イメージサークルの大きさ及び撮像面サイズの大きさにより測光に使用する領域を変更、若しくは露出決定時の各領域の重み付けを変更することで、適正露出を得ることが可能となる。
【０００９】
又、本発明は、撮像光学系と該撮像光学系のイメージサークルに関する情報を備えた交換レンズと、撮像素子と焦点検出手段と該焦点検出手段の焦点検出領域を変更する焦点検出領域変更手段を有し前記交換レンズを着脱可能なカメラボディとから成るレンズ交換可能なカメラシステムにおいて、前記焦点検出領域変更手段は前記撮像光学系のイメージサークルに関する情報に基づき焦点検出に使用する焦点検出領域を変更することを特徴とする。
【００１０】
これにより、イメージサークル外にある焦点検出領域や十分な精度が得られない焦点検出領域の焦点検出を禁止し、誤った焦点検出が行われないようにすることが可能となる。
【００１１】
又、本発明は撮像光学系と該撮像光学系のイメージサークルに関する情報を備えた交換レンズと、撮像素子と視野切替手段を有し、前記交換レンズを着脱可能なカメラボディとから成るレンズ交換可能なカメラシステムにおいて、前記視野切替手段は前記撮像光学系のイメージサークルに関する情報に基づきファインダーの視野を変更することを特徴とする。
【００１２】
これにより、ファインダーにおいて撮影領域外を視認不能とすることが可能となる。
【００１３】
又、前記カメラシステムは、前記イメージサークルに関する情報に基づきストロボの照射角を変更することを特徴としている。
【００１４】
これにより、撮影画角外への余分なストロボ照射を減ずることが可能となり、省電力を実現することが可能となる。
【発明の効果】
【００１５】
以上のように、本発明によれば、レンズのイメージサークル及びカメラの撮像素子のサイズに応じてカメラの測光、焦点検出、ファインダー視野等を変更することで、レンズのイメージサークルと撮像素子のサイズが異なるカメラの組み合わせにおいて発生する収集の問題を解決することが可能となる。
【発明を実施するための最良の形態】
【００１６】
以下に本発明の実施の形態を添付図面に基づいて説明する。
【００１７】
＜実施の形態１＞
図１は本発明の実施の形態１のカメラシステムを示す図である。
【００１８】
図１において、１は交換レンズ、２は撮像光学系、３は該撮像光学系２のイメージサークルに関する情報を記憶する記憶手段、４は交換レンズ１を着脱可能なカメラボディ、５は撮像素子、６は測光制御手段、７は測光手段である。
【００１９】
以上のような構成のカメラシステムにおける測光の制御について図２のフローチャートを用いて説明する。
【００２０】
交換レンズ１がカメラボディ４に装着されると（Ｓｔｅｐ２１）、記憶手段３から測光制御手段６へ通信手段（不図示）を用いて撮像光学系２のイメージサークルに関する情報を送信する（Ｓｔｅｐ２２）。
【００２１】
測光制御手段６では、送信された撮像光学系２のイメージサークルに関する情報に基づき測光手段７の評価に用いる測光領域を設定若しくは各領域の重み付けを設定する（Ｓｔｅｐ２３）。
【００２２】
カメラボディ４のレリーズスイッチ（不図示）がＯＮされると（Ｓｔｅｐ２４）、Ｓｔｅｐ２３で設定された測光領域若しくは各領域の重み付けに基づき測光を行う（Ｓｔｅｐ２５）。
【００２３】
Ｓｔｅｐ２５で行われた測光結果を基に露出を設定する（Ｓｔｅｐ２６）。
【００２４】
以上のように、撮像光学系２のイメージサークルに関する情報に基づき測光評価に用いる領域を設定若しくは各領域の重み付けを設定することで、適切な露出補正が可能となる。
【００２５】
ここで、Ｓｔｅｐ２３で測光領域を変更して設定する際には、撮像素子５のサイズと撮像光学系２のイメージサークルの比率分測光領域を狭めることが好ましい。
【００２６】
以上のような構成により、レンズのイメージサイズの大きさによらず、常に適切な露出設定が可能となる。
【００２７】
＜実施の形態２＞
図３は本発明の実施の形態２のカメラシステムを表す図である。
【００２８】
図３において、１は交換レンズ、２は撮像光学系、３は撮像光学系２のイメージサークルに関する情報を記憶する記憶手段、４は交換レンズ１を着脱可能なカメラボディ、５は撮像素子、８は焦点検出手段、９は焦点検出領域変更手段、１０は前記焦点検出手段８へ光束を導くためのミラーである。
【００２９】
以上のような構成のカメラシステムにおける焦点検出の制御について図４のフローチャートを用いて説明する。
【００３０】
交換レンズがカメラボディに装着されると（Ｓｔｅｐ４１）、記憶手段３から焦点検出領域変更手段９へ通信手段（不図示）を用いて撮像光学系２のイメージサークルに関する情報を送信する（Ｓｔｅｐ４２）。
【００３１】
焦点検出領域変更手段９では、送信された撮像光学系２のイメージサークルに関する情報に基づき焦点検出手段８の焦点検出領域を設定する（Ｓｔｅｐ４３）。
【００３２】
カメラボディのレリーズスイッチ（不図示）がＯＮされると（Ｓｔｅｐ４４）、Ｓｔｅｐ４３で設定された焦点検出領域のうち使用者が選択した若しくは自動的にカメラ側で選択した焦点検出領域の焦点検出を行う（Ｓｔｅｐ４５）。
【００３３】
以上のように、撮像光学系２のイメージサークルに関する情報に基づき焦点検出に用いる領域を設定することで、適切な焦点検出が可能となる。
【００３４】
ここで、Ｓｔｅｐ４３で焦点検出領域を設定する際には、撮像光学系２のイメージサークル外の焦点検出領域は焦点検出不可とし、焦点検出領域を使用者に警告することが好ましい。
【００３５】
更に、撮像光学系２のイメージサークル内の焦点検出領域であっても、ファインダーにより視認不可となる領域や撮影時にトリミングされる領域、焦点検出精度が著しく悪化する領域については焦点検出不可とし、該焦点検出領域を使用者に警告することが好ましい。
【００３６】
＜実施の形態３＞
図５は本発明の実施の形態３のカメラシステムを示す図である。
【００３７】
図５において、１は交換レンズ、２は撮像光学系、３は該撮像光学系２のイメージサークルに関する情報を記憶する記憶手段、４は交換レンズ１を着脱可能なカメラボディ、５は撮像素子、１０は光束をファインダー光学系へ導くためのミラー、１１は視野切替手段、１２はペンタプリズム若しくはペンタミラー、１３は接眼光学系である。
【００３８】
以上のような構成のカメラシステムにおけるファインダー視野の切り替えについて図６のフローチャートを用いて説明する。
【００３９】
交換レンズがカメラボディに装着されると（Ｓｔｅｐ６１）、記憶手段３から視野切替手段１０へ通信手段（不図示）を用いて撮像光学系２のイメージサークルに関する情報を送信する（Ｓｔｅｐ６２）。
【００４０】
視野切替手段１０では、送信された撮像光学系２のイメージサークルに関する情報に基づきファインダー視野の切り替えを行う（Ｓｔｅｐ６３）。
【００４１】
以上のような構成により、ファインダーを覗いた際に撮影範囲以外の領域が表示されることがなくなり、撮影者が実際に撮影される範囲を確認することが可能となる。
【００４２】
＜実施の形態４＞
図７は本発明の実施の形態４のカメラシステムを表す図である。
【００４３】
図７において、１は交換レンズ、２は撮像光学系、３は撮像光学系２のイメージサークルに関する情報を記憶する記憶手段、４は交換レンズ１を着脱可能なカメラボディ、５は撮像素子、１４はストロボ手段、１５はストロボ制御手段である。
【００４４】
以上のような構成のカメラシステムにおけるストロボの制御について図８のフローチャートを用いて説明する。
【００４５】
交換レンズがカメラボディに装着されると（Ｓｔｅｐ８１）、記憶手段３からストロボ制御手段１５へ通信手段（不図示）を用いて撮像光学系２のイメージサークルに関する情報を送信する（Ｓｔｅｐ８２）。
【００４６】
ストロボ制御手段１４では、送信された撮像光学系２のイメージサークルに関する情報に基づきストロボ発光時の照射角を設定する（Ｓｔｅｐ８３）。
【００４７】
カメラボディのレリーズスイッチ（不図示）がＯＮされ、撮影時にストロボ発光が必要であると判断されると（Ｓｔｅｐ８４）、Ｓｔｅｐ８３で設定されたストロボ照射範囲にストロボ発光が行われる（Ｓｔｅｐ８５）。
【００４８】
以上のような構成により、撮影画角外への余分なストロボ照射を減ずることが可能となり、省電力を実現することが可能となる。
【００４９】
以上に述べたような本発明の実施の形態では、測光、焦点検出、視野切替、ストロボの制御をそれぞれの制御手段を用いて行っているが、これらを全てまとめて制御を行うカメラ制御手段をカメラ内に設け、カメラ制御手段に撮像光学系２のイメージサークルに関する情報を通信することでカメラの制御を行っても良い。
【００５０】
又、以上に述べた実施の形態では、交換レンズ１内に、交換レンズ１内に含まれる撮像光学系２のイメージサークルに関する情報を記憶する記憶手段３を設け、記憶手段３に記憶された情報を通信しながら測光、焦点検出、視野切替、ストロボの各制御を行っているが、カメラボディ４内に記憶手段を設け、交換レンズ１がカメラボディ４に初めて装着された時のみに記憶手段３からの情報を通信し、カメラボディ内に設けた記憶手段にこれを記憶しておくことで、２回目以降の装着時にはイメージサークルに関する情報を通信することなく、交換レンズの個体を識別する情報から、イメージサークルに関する情報をカメラ内に設けた記憶手段から読み出しカメラ制御を行うことも可能である。
【００５１】
このようなカメラ制御によれば、更にカメラの高速化を図ることも可能である。
【図面の簡単な説明】
【００５２】
【図１】本発明の実施の形態１を示す構成図である。
【図２】本発明の測光の制御方法を説明する図である。
【図３】本発明の実施の形態２を示す構成図である。
【図４】本発明の焦点検出手段の制御方法を説明する図である。
【図５】本発明の実施の形態を示す構成図である。
【図６】本発明のファインダー視野の制御方法を説明する図である。
【図７】本発明の実施の形態４を示す構成図である。
【図８】本発明のストロボの照射角の制御方法を説明する図である。
【符号の説明】
【００５３】
１  交換レンズ
２  撮像光学系
３  記憶手段
４  カメラボディ
５  撮像素子
６  測光制御手段
７  測光手段
８  焦点検出手段
９  焦点検出領域変更手段
１０  ミラー
１１  視野切替手段
１２  ペンタプリズム（ペンタミラー）
１３  接眼光学系
１４  ストロボ手段
１５  ストロボ制御手段
【図１】
2006133476.tif 000003
【図２】
2006133476.tif 000004
【図３】
2006133476.tif 000005
【図４】
2006133476.tif 000006
【図５】
2006133476.tif 000007
【図６】
2006133476.tif 000008
【図７】
2006133476.tif 000009
【図８】
2006133476.tif 000010